【手続補正書】
【提出日】平成27年3月20日(2015.3.20)
【手続補正１】
【補正対象書類名】特許請求の範囲
【補正対象項目名】全文
【補正方法】変更
【補正の内容】
【特許請求の範囲】
【請求項１】
テスト用オブジェクト（１０１）に対する電子常磁性共鳴を実行するためのシステム（１００）であって、
当該システム（１００）は、
上記テスト用オブジェクトの磁化を配向させるための配向磁場（１０７）を発生させるように構成される第１の磁場発生器（１１０）と、
所定の周波数でＲＦ励起波を発生させて上記テスト用オブジェクト（１０１）において電子常磁性共鳴（ＥＰＲ）を発生させるように構成される第２の磁場発生器（１０６）と、
上記テスト用オブジェクト（１０１）によって放出される上記ＥＰＲ信号を検出するように構成される検出ユニット（１０５）と、
上記検出ユニット（１０５）に対して上記第１の磁場発生器（１１０）によって誘導される上記配向磁場（１０７）の上記相対配向を制御して変更するように構成される制御ユニット（１１１）とを備えたシステムにおいて、
上記制御ユニットは、上記検出ユニット（１０５）に対する上記配向磁場の異なる複数の相対配向を用いて取得される複数のＥＰＲ信号を検出して合成できるように、上記相対配向を変更するタイミング並びに上記ＲＦ励起及び検出のタイミングを制御するように構成され、
上記システムは、測定されたデータに対する励起信号の寄与を除去するように、上記検出ユニット（１０５）に対する上記配向磁場の異なる複数の相対配向を用いて取得される検出された複数のＥＰＲ信号を合成するようにプログラミングされた処理ユニット（１０９）をさらに備えることを特徴とするシステム（１００）。
【請求項２】
上記制御ユニット（１１１）はさらに、
検出が異なる符号を有する上記配向磁場（１０７）の少なくとも２つの相対配向に対して実行されるように、上記相対配向を制御するように構成され、及び／または、検出が実質的に対向する上記配向磁場（１０７）の少なくとも２つの相対配向に対して実行されるように、上記相対配向を制御するように構成される請求項１記載のシステム（１００）。
【請求項３】
上記第１の磁場発生器（１１０）は、
切替可能な極性（１０８）を有する直流電源に接続される少なくとも１つの電磁コイル（１０２）を備え、
上記制御ユニット（１１１）は、上記少なくとも１つの電磁コイル（１０２）によって誘導される上記磁場の配向を変更するように上記直流電源（１０８）の上記極性を切り替えるように構成される請求項１または２記載のシステム（１００）。
【請求項４】
上記システム（１００）はまたさらに、
上記誘導された配向磁場（１０７）と上記検出ユニット（１０５）との上記相対配向において変更を引き起こすために、上記第１の磁場発生器（１１０）と上記検出ユニット（１０５）との間の相対位置を変更するための位置決め手段を備える請求項１から３のうちのいずれか１つに記載のシステム（１００）。
【請求項５】
相対位置を変更するための上記位置決め手段は、上記検出ユニット（１０５）を回転させるように構成され、もしくは上記第１の磁場発生器（１１０）を回転させるように構成される請求項４記載のシステム（１００）。
【請求項６】
上記制御ユニット（１１１）は、
上記ＥＰＲ信号の検出の間に上記検出ユニット（１０５）に対して上記第１の磁場発生器（１１０）によって誘導された上記配向磁場（１０７）の上記相対配向の連続的な変化を提供するように構成され、及び／または、
上記検出ユニットは、第１の実質的に円形の伝導ループ（１０３）を備え、
上記第２の磁場発生器（１０６）は、上記第１のループと上記第２のループとは実質的に直交するように第２の実質的に円形の伝導ループ（１０４）を備える請求項１から５のうちのいずれか１つに記載のシステム（１００）。
【請求項７】
上記第２の磁場発生器（１０６）は、
パルスＲＦ励起波を発生させるように構成され、もしくは連続的なＲＦ励起波を発生させるように構成される請求項１から６のうちのいずれか１つに記載のシステム（１００）。
【請求項８】
上記処理ユニット（１０９）は、
上記検出された複数の電磁信号の少なくとも１つの振幅が所定のしきい値よりも小さい時間期間の間において上記配向磁場（１０７）の異なる配向を用いて取得された上記検出された複数の電磁信号の測定値を合成するように構成され、
上記システムは、
上記検出された複数の電磁信号の増幅が上記検出ユニットのダイナミックレンジを超えて取得されるように、上記複数の電磁信号の少なくとも１つの上記振幅が所定のしきい値よりも小さい時間期間の間において上記配向磁場（１０７）の異なる複数の配向を用いて取得される上記検出された複数の電磁信号の測定値を取得するように構成される請求項１から７のうちのいずれか１つに記載のシステム（１００）。
【請求項９】
上記システムは、
イメージング及び／又は容積測定のイメージングの目的のために構成される付加的な磁場傾斜発生器（１１２）を備え、及び／または、
上記処理ユニット（１０９）は、
上記テスト用オブジェクトの画像及び／又は容積測定画像の形式で上記検出された複数の電磁信号を合成するように構成され、及び／または
上記制御ユニットはさらに、
上記配向磁場の関数として上記処理ユニット（１０９）をトリガーするように構成される請求項１から８のうちのいずれか１つに記載のシステム（１００）。
【請求項１０】
電子常磁性共鳴を実行するための方法（３００）であって、
当該方法は、
検出ユニットを参照して初期配向における配向磁場をテスト用オブジェクトに印加するステップ（３２０）と、
電磁励起波を発生させることによって上記テスト用オブジェクトにおける常磁性粒子の電子スピンを励起した後（３４０）、上記検出ユニットにおける上記テスト用オブジェクトによって放出される複数の電磁信号を検出するステップ（３６０）と、
上記配向磁場と上記検出のための手段との上記相対配向を実質的に変更するステップ（３８０）の後、上記励起（３４０）と上記検出するステップ（３６０）とを反復するステップ（３７０）とを含む方法において、
上記方法は、
上記相対配向を変更するタイミングを制御するステップと、
測定されたデータに対する励起信号の寄与を除去するように、上記配向磁場の異なる配向を用いて取得される検出された複数の電磁信号を合成するステップ（３９０）とを含み、
上記励起と上記検出とは上記異なる相対配向に対して使用されることを特徴とする方法（３００）。
【請求項１１】
上記合成するステップは、
上記複数の電磁信号の少なくとも１つの振幅が所定のしきい値よりも小さい時間期間の間において上記複数の電磁信号の測定値を合成すること（３９１）、及び／または
上記テスト用オブジェクトの画像及び／又は容積測定画像表現の発生（３９２）を含む請求項１０記載の方法。
【請求項１２】
上記合成するステップは、上記検出ユニットのダイナミックレンジを超える増幅を結果として生じさせる請求項１０または１１記載の方法。
【請求項１３】
上記方法は、
上記励起するステップ（３４０）と上記検出するステップ（３６０）とが反復され（３６５）、
各反復においてイメージング及び／又は容積測定イメージングの目的のために磁場傾斜を印加するステップ（３３０）を含む請求項１０から１２のうちのいずれか１つに記載の方法。
【請求項１４】
処理ユニット上に実装されるとき、請求項１０から１３のうちのいずれか１つに記載の方法を実行するコンピュータプログラム。
【請求項１５】
請求項１４記載のコンピュータプログラム、及び／または請求項１４記載のコンピュータプログラムのネットワークを介する送信を備えるデータ記憶媒体。